(57)【要約】【課題】容易に据え付けることができ、効率よく壁内の除湿を行うことができる空気調和装置を提供する【解決手段】被調和室４Ａを冷房する冷房運転時に壁内空間８０を同時に除湿可能とした空気調和装置１００であって、被調和室４に吸込口３１及び吹出口３２を向けて設置される室内機３と、壁内空間８０に吸込口５６及び吹出口５５を向けて設置される除湿機５とを一体に空調ユニット２化して、室内機３の室内熱交換器２１と、除湿機５の除湿用熱交換器５１とを同一の冷媒系統に接続したことを特徴とする。【選択図】図７
2012032035.tif 000002
【特許請求の範囲】
【請求項１】
被調和室を冷房する冷房運転時に壁内空間を同時に除湿可能とした空気調和装置であって、
前記被調和室に吸込口及び吹出口を向けて設置される室内機と、前記壁内空間に吸込口及び吹出口を向けて設置される除湿機とを一体に空調ユニット化して、前記室内機の室内熱交換器と、前記除湿機の除湿用熱交換器とを同一の冷媒系統に接続したことを特徴とする空気調和装置。
【請求項２】
前記壁内空間が天井裏であり、前記室内機が天井埋込型の空気調和機であり、前記一体化した空調ユニットが吊りボルトにより天井裏に支持されていることを特徴とする請求項１に記載の空気調和装置。
【請求項３】
前記室内機の上面に前記除湿機が重なり、前記除湿機は下面に第一ドレンパンを有し、前記第一ドレンパンの上に前記除湿用熱交換器が載置されていることを特徴とする請求項１又は２に記載の空気調和装置。
【請求項４】
前記ドレンパンのドレン配管は、前記室内機の第二ドレンパンに連通し、前記空調ユニットからのドレン水は、前記第二ドレンパンを介して前記空調ユニットの外部に排出されることを特徴とする請求項３に記載の空気調和装置。
【請求項５】
前記除湿機は略箱形状の筐体を備え、前記筐体は、前記筐体側面の、一面に形成された吹出口と、残りの三面に形成された吸込口とを備え、前記吸込口に沿って平面略コ字状の除湿用熱交換器を配置するとともに、前記吹出口には除湿用送風機を備えたことを特徴とする請求項１乃至４のいずれか一項に記載の空気調和装置。
【請求項６】
前記空調ユニットは、前記室内熱交換器の冷媒入口に配置された第一制御弁と、前記除湿用熱交換器の冷媒入口に配置された第二制御弁とを備えることを特徴とする請求項１乃至５のいずれか一項に記載の空気調和装置。
【請求項７】
前記冷媒系統に、接続ポートを介して、前記室内機と並列に、前記除湿機を後付で接続可能としたことを特徴とする請求項１乃至６のいずれか一項に記載の空気調和装置。
【請求項８】
前記除湿機と、前記室内機とは連結具で連結されていることを特徴とする請求項１乃至７のいずれか一項に記載の空気調和装置。
【発明の詳細な説明】
【技術分野】
【０００１】
本発明は、被調和室の冷房と壁内空間の除湿を同時に行う空気調和装置に関する。
【背景技術】
【０００２】
従来、例えば一般の戸建住宅などの建物において、湿気によって壁内に結露が発生することが知られている。そのため、壁内結露によって、木材が腐敗したり、室内側の壁板、フローリング、或いは畳の裏面等でカビが繁殖するのを防止するために、建物の床下に設けられる除湿システムが知られている（例えば、特許文献１参照）。この種の除湿システムは、密封構造に形成された床下空間に、除湿した空気を供給する供給口と、床下空間を流れた空気を除湿システムに戻すための回収口とを離れた位置に設けて、床下空間の除湿を行い、壁内、天井裏、及び屋根裏等の壁内空間の湿度を低減させる。
【先行技術文献】
【特許文献】
【０００３】
【特許文献１】特開２００１−１３３００７号公報
【発明の概要】
【発明が解決しようとする課題】
【０００４】
しかしながら、この種の除湿システムは、除湿した空気を床下空間で効率よく循環させるために、建物の基礎構造を工夫し、空気の供給口から回収口へ空気が流れるようにする必要がある。よって、除湿システムを導入する際には、建物の基礎工事も併せて行う必要がある。そのため、除湿システムの導入作業は大掛かりになるだけではなく、既存の建物には導入することが難しいという問題がある。
本発明は、上述した従来の技術が有する課題を解消し、容易に据え付けることができ、効率よく壁内の除湿を行うことができる空気調和装置を提供することを目的とする。
【課題を解決するための手段】
【０００５】
上記目的を達成するために、本発明は、被調和室を冷房する冷房運転時に壁内空間を同時に除湿可能とした空気調和装置であって、前記被調和室に吸込口及び吹出口を向けて設置される室内機と、前記壁内空間に吸込口及び吹出口を向けて設置される除湿機とを一体に空調ユニット化して、前記室内機の室内熱交換器と、前記除湿機の除湿用熱交換器とを同一の冷媒系統に接続したことを特徴とする。
【０００６】
この構成において、前記壁内空間が天井裏であり、前記室内機が天井埋込型の空気調和機であり、前記一体化した空調ユニットが吊りボルトにより天井裏に支持されている構成としても良い。また、前記室内機の上面に前記除湿機が重なり、前記除湿機は下面に第一ドレンパンを有し、前記第一ドレンパンの上に前記除湿用熱交換器が載置されている構成としても良い。また、前記ドレンパンのドレン配管は、前記室内機の第二ドレンパンに連通し、前記空調ユニットからのドレン水は、前記第二ドレンパンを介して前記空調ユニットの外部に排出される構成としても良い。また、前記除湿機は略箱形状の筐体を備え、前記筐体は、前記筐体側面の、一面に形成された吹出口と、残りの三面に形成された吸込口とを備え、前記吸込口に沿って平面略コ字状の除湿用熱交換器を配置するとともに、前記吹出口には除湿用送風機を備えた構成としても良い。また、前記空調ユニットは、前記室内熱交換器の冷媒入口に配置された第一制御弁と、前記除湿用熱交換器の冷媒入口に配置された第二制御弁とを備える構成としても良い。また、前記冷媒系統に、接続ポートを介して、前記室内機と並列に、前記除湿機を後付で接続可能とした構成としても良い。また、前記除湿機と、前記室内機とは連結具で連結されている構成としても良い。
【発明の効果】
【０００７】
本発明によれば、被調和室の空調を行う室内機と、壁内空間の除湿を行う除湿機とを一体にし、室内熱交換器と、除湿用熱交換器とを同一の冷媒系統に接続し、空調ユニット化したため、被調和室の冷房と壁内空間の除湿を同時に行う空調ユニットは容易に据え付けることができ、室内機の冷媒を利用して効率よく壁内の除湿を行うことができるという効果を奏する。
【図面の簡単な説明】
【０００８】
【図１】本実施形態の空気調和システムの概略構成を示す図である。
【図２】室内機と除湿機の接続部の構成を示す図である。
【図３】除湿機を取り外した際の接続部の構成を示す図である。
【図４】空調ユニットの据付状態を概略的に示す図である。
【図５】空調ユニットの外観斜視図である。
【図６】除湿機の平面視断面図である。
【図７】空調ユニットの断面図である。
【発明を実施するための形態】
【０００９】
以下、図面を参照して本発明の実施の形態について説明する。
図１は、本発明を適用した実施の形態に係る空気調和システム（空気調和装置）１００の概略構成を示す。本実施の形態の空気調和装置１００は、室外機１と、室外機１に冷媒配管（冷媒系統）１０で接続される空調ユニット２を備えている。空気調和装置１００は、例えば空調ユニット２が複数台接続されたいわゆるマルチ型の空気調和装置であっても良い。また、空気調和装置１００は、空気調和装置１００の各部の制御を行う制御部６０を備える。
【００１０】
室外機１は、屋外に設置され、図１に示すように、圧縮機１１、アキュムレータ１２、四方弁１３、室外熱交換器１４、電動膨張弁１５が冷媒配管１０で接続されて備えられている。空気調和装置１００は、制御部６０の制御の下、室外機１の四方弁１３を切り換えることにより、冷房運転／暖房運転を切り換え自在に備えられている。図中矢印は、冷房運転時の冷媒の流れを示す。冷房運転時、圧縮機１１から吐出された冷媒は、四方弁１３を介して室外熱交換器１４へと流れる。室外熱交換器１４を通って、冷やされた冷媒は、図中矢印で示されるように、冷媒配管１０を通って、空調ユニット２へと供給される。
【００１１】
空調ユニット２は、屋内に設置され、図１に示すように、室外機１に冷媒配管１０で接続される室内機３と、除湿機５とから構成される。室内機３は、室内熱交換器２１と、室内熱交換器２１に併設された送風機２２を備える。室内機３は、また、空気調和装置１００の冷房運転時における室内熱交換器２１の冷媒入り口側に、第一メカ弁（第一制御弁）２９を備える。除湿機５は、除湿用熱交換器５１と、除湿用熱交換器５１に併設された除湿用送風機５２を備える。除湿機５は、また、空気調和装置１００の冷房運転時における除湿用熱交換器５１の冷媒入り口側に、第二メカ弁（第一制御弁）５３を備える。
室内機３と、除湿機５は、Ｔ継手１７ａ，１７ｂを介して冷媒配管１０にそれぞれ連通している。これによって、除湿用熱交換器５１と室内熱交換器２１とは、同一の冷媒系統１０に接続される。
【００１２】
この構成によれば、制御部６０を介して第二メカ弁５３を開き、室内熱交換器２１を流れる冷媒の一部を室内熱交換器２１をバイパスさせて除湿用熱交換器５１に流すことができる。また、除湿用熱交換器５１に流す冷媒の量は、第二メカ弁５３の開度を制御部６０を介して変えることで調節することができる。さらに、室内機３のサーモオフ時には、第一メカ弁２９を閉じて、除湿機５にのみ冷媒を流し、除湿運転を行うこともできる。
【００１３】
除湿機５は、例えば、室外機１と室内機３から構成される空気調和装置に後付けする構成とすることも可能である。その場合、図２に示すように、室外機１と室内機３とをつなぐユニット間配管に接続されたＴ継手１７ａ，１７ｂには、除湿機５側に延びる補助管１６ａの一端が接続されている。補助管１６ａの他端はフレア接続口（オス口）１１６を有する。除湿機５が接続されていない場合においては、フレア接続口１１６に、ボンネット１１７をかぶせて、ボンネット１１７をフレア接続口にフレアナット１１８で固定し、フレア接続口１１６を封止する（図３参照）。一方、除湿機５は、除湿用熱交換器５１に連通する冷媒配管１６ｂを備える。冷媒配管１６ｂの両端１６ｃには、図２に示すようにフレアナット１１９が挿入された状態でフレア加工が施されている。
【００１４】
次に、除湿機５を後付けする際の接続作業について説明する。除湿機５を後付けする際には、まず、図１中のサービスバルブＡを閉じて、四方弁１３を破線状態（冷房運転状態）に設定し、圧縮機１１を運転させる。これによって室内機３内の冷媒は、室外機１の冷媒配管や室外熱交換器１４に回収される（ポンプダウン運転）。その後、サービスバルブＢを閉じる。こうしてポンプダウン運転によって室内機３側の冷媒配管内の冷媒が室外機１側に回収され、室内機３側には冷媒が残っていない状態で、室内機３の補助管１６ａに螺合されているフレアナット１１８及びボンネット１１７を取り外す。そして、図２（Ｂ）に示すように、フレア接続口１１６に、冷媒配管１６ｂのフレアナット１１９を螺合して、接続ポート１２０を形成し、冷媒系統１０に除湿機５を連結させる。その後、閉じていたサービスバルブＡ，Ｂを開放することにより、冷媒配管１６（図１参照）を介して、冷媒系統１０に室内機３と並列に接続された除湿機５に冷媒を供給することができる。
この構成によれば、除湿機５は、任意で後付けすることができるようになり、空気調和装置１００の汎用性が向上する。
【００１５】
図４は、一般の戸建住宅などの建物２００に空調ユニット２を据え付けた状態を概略的に示す図である。空調ユニット２は、室内機３と除湿機５が一体にユニット化されて、壁内空間８０に支持される。室内機３は、被調和室４内の冷房／暖房などの空気調和を行う。室内機３の冷房運転時には、空調ユニット２に備えられた、除湿機５で壁内空間８０に除湿空気の供給を行うことができる。
室内機３は、被調和室４に臨んで配置される、室内空気吸込口（吸込口）３１と、吹出口３２とを備える。室内空気吸込口３１から、室内機３に吸い込まれた空気は、図中矢印Ｘで示されるように、室内機３に収容された室内熱交換器２１で熱交換されて、再び、被調和室４に、吹出口３２を介して吹き出される。
除湿機５は、壁内空間８０に臨んで配置された壁内空気吸込口（吸込口）５６と、壁内吹出口（吹出口）５５を備える。壁内空間８０は、床下６、天井裏７、壁体内８、屋根裏９等を有し、被調和室４Ａ等の居室と、建物２００の外壁２００Ａおよび屋根２００Ｂとの間に形成される。壁内空間８０には、例えば不図示の断熱材などが配置される。
【００１６】
除湿機５から供給される除湿空気は、図中矢印Ｙ１で示されるように、空調ユニット２が配設された天井裏７から、被調和室４Ａに隣接する壁体内８を通って、床下６に流れ、再び壁体内８を通って、除湿機５に回収される。除湿機５から供給される除湿空気は、また、空調ユニット２が配設された天井裏７から、被調和室４Ａの例えば階上に設けられる居室４Ｂに隣接する壁体内８を通って、屋根裏９に供給され、再び壁体内８を通って、除湿機５に回収される。除湿機５で回収される空気は、除湿機５に収容された除湿用熱交換器で熱交換されて、除湿され、再び壁内空間８０に供給される。これによって、除湿機５から供給される除湿空気を建物２００の壁内空間８０全体で循環させて建物２００の除湿を行うことができる。
【００１７】
図５は、空調ユニット２を下面側から見た外観斜視図である。空調ユニット２を形成する室内機３と、除湿機５は、上下に重ねてボルト（連結具）２ｂで連結され、一体に形成されている。室内機３は、略箱形状の筐体３０を備え、筐体３０の下面は、筐体３０に取り付けられる化粧パネル３０Ｂから構成される。除湿機５は、略箱形状のケース（筐体）５０を備え、ケース５０は、筐体３０と平面視略同形状に形成されている。ケース５０は、筐体３０の天面パネル３０Ａに載置され、筐体３０に不図示のボルト等で固定される。
【００１８】
筐体３０は、筐体３０の側面４面を形成する側面パネル３０Ｃを備える。また、筐体３０の４つの角部は、面取りされて、サイドパネル３０Ｄが配置されている。サイドパネル３０Ｄには、室内機３と、室内機３の上に重ねて配置される除湿機５とを連結するボルト２ｂを受ける固定金具２ａ，２ａと、空調ユニット２を天井面から吊り下げるための４つの吊金具２８が備えられる。空調ユニット２は、室内側から天井面１０１（図７参照）に設けられた取付け用開口部に挿入されて備えられ、例えば天井裏７の空間に配置さる天井カセット型（天井埋込型）の空調ユニットである。吊金具２８は、天井裏の例えば梁１０３等から垂下する吊ボルト１０２（図７参照）に支持され、これによって、空調ユニット２は、天井裏７の空間に固定される。筐体３０は、下面を形成する化粧パネル３０Ｂを天井面１０１に密着した状態で取り付けることができるように配置される。室内機３は、４方向に空気を吹き出す四方向天井カセット型であっても良いし、或いは、２方向に空気を吹き出す二方向天井カセット型であっても良い。
【００１９】
化粧パネル３０Ｂは、その中央部に室内空気を取り込むための室内空気吸込口３１を備える。室内空気吸込口３１には、フィルター３４を備える構成としても良い。室内空気吸込口３１の周囲には、化粧パネル３０Ｂの辺に沿って、熱交換後の空気を吹き出すための、長尺に形成された、４つの吹出口３２を備える。各吹出口３２には、吹出空気の方向を調節可能なフラップ３３が設けられている。
化粧パネル３０Ｂの４つの角部には、コーナーパネル３５が、化粧パネル３０Ｂの下側に向けて取り外し可能に備えられる。コーナーパネル３５は、コーナーパネル３５を取り外したときに、上述した吊金具２８と吊ボルト１０２の係合位置まで取り付け作業者の手が入るような大きさに形成されている。
【００２０】
除湿機５のケース５０は、ケース５０の四面を形成する側面パネル５０Ａを備える。ケース５０は、また、ケース５０の４つの角部を面取りして形成したサイドパネル５０Ｄを備える。サイドパネル５０Ｄには、室内機３と、除湿機５とを連結するボルト２ｂを受ける固定金具２ａ，２ａが設けられている。
側面パネル５０Ａの一つの面５０Ｂには、除湿用熱交換器５１で熱交換された除湿空気が吹出される壁内吹出口５５が設けられる。また、壁内吹出口５５には、吹出グリル５５Ａが備えられている。壁内吹出口５５が設けられた面５０Ｂとは別の面５０Ｃには、壁内空間８０から空気を取り込むための壁内空気吸込口５６が備えられている。
【００２１】
壁内空気吸込口５６は、図６に示すように、壁内吹出口５５が設けられた面５０Ｂ以外の面５０Ｃ，５０Ｃ，５０Ｃの三面にそれぞれ形成されている。壁内吹出口５５には、除湿用送風機５２が備えられている。除湿用送風機５２は、ファンモーター５２ａと、ファンモーター５２ａの回転軸に取り付けられるプロペラファン５２ｂから構成されている。除湿用送風機５２は、例えば、壁内吹出口５５に横に並べて複数台備えられている構成としても良い。除湿用送風機５２の台数は、除湿を行う壁内空間が広さに応じてすることもできる。これによって、例えば、広い壁内空間内を除湿する場合には、除湿用送風機５２を横に並べて複数台設け、除湿空気を効率よく壁内空間８０内に循環させることができる。
【００２２】
除湿機５の内部には、平面視略コ字状に曲げられて形成された除湿用熱交換器５１が備えられている。除湿用熱交換器５１は、面５０Ｃ，５０Ｃ，５０Ｃに沿って配置されている。また、除湿用熱交換器５１は、各面５０Ｃと所定間隔離して備えられている。除湿用熱交換器５１は、ケース５０の下面２３の上に配設されたドレンパン（第一ドレンパン）５４の上に載置される。除湿用熱交換器５１の各管板５１Ａ，５１Ａには、除湿用熱交換器５１の高さ寸法と略同じ高さ寸法を有する仕切板５１Ｂの一端が固定されている。仕切板５１Ｂの他端は、壁内吹出口５５に沿って、面５０Ｂに固定されている。
ファンモーター５２ａによってプロペラファン５２ｂが回転すると、その負圧によって、除湿機５の周辺空気が、各壁内空気吸込口５６Ａ，５６Ｂ，５６Ｃから除湿機５内に吸い込まれる。各壁内空気吸込口５６Ａ，５６Ｂ，５６Ｃから図中矢印Ｙ１，Ｙ２，Ｙ３の方向に吸い込まれた空気は、除湿用熱交換器５１で熱交換され、冷やされる。冷やされることによって、空気中の湿度が凝縮されるため、熱交換後の空気は、湿度が低い状態となる。このようにして、除湿された空気は、除湿用送風機５２によって、図中矢印Ｙ４の方向に、壁内吹出口５５から吹出される。
【００２３】
壁内空気吸込口５６Ａ，５６Ｂ，５６Ｃは、任意に開くことができる、側面パネル５０Ｃに形成されたノックアウトホールから構成されていても良い。或いは、壁内空気吸込口５６Ａ，５６Ｂ，５６Ｃには、開閉自在のシャッター等が設けられ、任意の方向にある壁内空気吸込口５６Ａ，５６Ｂ，５６Ｃを開けて使用する構成としても良い。この構成によれば、空気の吸込み方向を変えることができるため、除湿機５の据付位置、あるいは、部屋の大きさや向きによって、風の流れる方向を変えることができる。そのため、例えば、壁内空気吸込口５６Ａが壁などに近接して配置されている場合には、壁内空気吸込口５６Ａを閉じて、壁内空気吸込口５６Ｂ，５６Ｃから空気を吸い込むことができる。この構成によれば、壁内空気吸込口５６Ａを閉じることによって、壁内空気吸込口５６Ｂ，５６Ｃの負圧が高くなる。そのため、壁に近接していない壁内空気吸込口５６Ｂ，５６Ｃ側から効率よく空気を吸い込むことができる。
また、除湿用熱交換器５１は、各壁内空気吸込口５６Ａ，５６Ｂ，５６Ｃに間隔を開けて配置されているため、例えば壁内空気吸込口５６Ａを閉じた場合においても、除湿機５内に吸い込んだ空気は、壁内空気吸込口５６Ａと除湿用熱交換器５１の間隔から、除湿用熱交換器５１に流れる。そのため、壁内空気吸込口５６Ａに対向する部分の熱交換面積を無駄にすることなく、効率よく空気の除湿行うことができる。
さらに、除湿用熱交換器５１の管板５１Ａと、壁内吹出口５５との間に仕切板５１Ｂを設けたため、除湿用熱交換器５１と、各壁内空気吸込口５６Ａ，５６Ｂ，５６Ｃとの間に間隔を開けても、除湿機５内に吸い込まれた空気を、除湿用熱交換器５１を介して除湿し、壁内空間８０に吹出すことができる。
【００２４】
図７に示すように、除湿用熱交換器５１で凝縮された水分はドレンパン５４に収集さる。ドレンパン５４には、ドレンパン５４で収集したドレン水を、室内機３に設けられたドレンパン（第二ドレンパン）２４に流すドレンチューブ（ドレン配管）５８が接続されている。ドレンチューブ５８は、除湿機５のドレンパン５４から、ケース５０の下面２３、および筐体３０の天面パネル３０Ａを貫通する孔５８Ａを通って室内機３に延ばされ、ドレンパン２４にドレン水を導くように構成されている。
ケース５０の天面２５と、下面２３の間には、モーター台２６が掛渡されている。モーター台２６には、除湿用送風機５２のファンモーター５２ａが固定されている。
【００２５】
筐体３０の天面パネル３０Ａの下面には、モーター２２ａが固定され、このモーター２２ａのシャフトには羽根車２２ｂが取り付けられ、送風機２２を構成している。送風機２２は、回転に伴い吸込口３１を介して回転軸方向から空気を吸込んで周方向に吹き出すように構成されている。送風機２２の周りには、送風機２２を取り囲むように、略四角形状に曲げられた室内熱交換器２１が配置されている。また、側面パネル３０Ｃおよびサイドパネル３０Ｄの内面には例えば発泡スチロール製の断熱体２７が設けられている。また、断熱体２７は、除湿機５の内面にも設けられている。
室内機３は、図中矢印Ｘに示されるように、送風機２２によって吸込口３１から室内の空気を吸い込むと、該空気を、室内熱交換器２１内を流れる冷媒と熱交換させ、熱交換後の空気を、吹出口３２から吹き出し、被調和室内に供給し、被調和室内の空気調和を行う。
【００２６】
室内熱交換器２１は、室内空気吸込口３１の外周に沿って配置されたドレンパン（第二ドレンパン）２４に載置された状態で固定されている。ドレンパン２４は、例えば、発泡スチロール等で形成されている。ドレンパン２４の外周には、４辺に沿って４つの吹出口３２が形成されている。ドレンパン２４には、室内熱交換器２１の一隅に相当する位置に、ドレンパン２４に貯留したドレン水を汲み上げて、空調ユニット２の外部に排出するための不図示のドレンポンプが配設されている。除湿機５のドレンパン５４から、室内機３のドレンパン２４に、ドレンチューブ５８を介して流されたドレン水もまた、このドレンポンプを介して空調ユニット２の外部に排出される。
【００２７】
除湿機５は、制御部６０の制御の元、室内機３の冷房運転時、或いは、室内機３のサーモオフ時に運転する。除湿機５は、湿気を含む壁内空間の空気を除湿機５内に吸込み、除湿用熱交換器５１で空気内の水分を凝縮させて除湿し、湿度の下がった空気を壁内空間に再び吹き出すサイクルを繰り返す。これによって、壁内空間の除湿がおこなわれる。除湿用送風機５２は、除湿機５の除湿運転時以外にも、例えば、壁内空間の空気を循環させるために回転させることができる構成としても良い。
【００２８】
除湿機５の除湿運転の負荷は、室内機３の冷房運転の負荷状態によって調節することができる構成としてもよい。これは、室内熱交換器２１を流れる冷媒量と、除湿用熱交換器５１を流れる冷媒量を、それぞれ第一メカ弁２９、第二メカ弁５３の開度を制御部６０で制御することで可能となる。例えば空調ユニット２のサーモオフ時には第一メカ弁２９を閉じ、第二メカ弁５３を開いて除湿用熱交換器５１に冷媒を流し、壁内空間８０の除湿運転のみを行うことができる。また、空調ユニット２の冷房運転時でも、例えば室内機３の負荷が高い場合には、第二メカ弁５３の開度を絞り、除湿用熱交換器５１側を流れる冷媒量を低減させ、被調和室４内の空調効率を下げないような運転をすることができる。また、空調ユニット２の冷房運転時で、室内機３に余力がある場合には、第一メカ弁２９の開度を絞り、第二メカ弁５３を開いて、壁内空間８０の除湿効率を高めることができる。
【００２９】
以上説明したように、本実施形態によれば、被調和室４の空気調和を行う室内機３と、壁内空間８０の除湿を行う除湿機５を一体に空調ユニット２化して、室内機３の室内熱交換器２１と、除湿機５の除湿用熱交換器５１を同一の冷媒系統に接続したため、例えば既存の建物にも、壁内空間の除湿を行う除湿機５を備える空調ユニット２は、容易に据え付けることができる。さらに室内機３の冷媒を分岐させて除湿機５側に流すことで一つの空調ユニット２で被調和室４の空気調和と、壁内空間８０の除湿とを同時に効率良くおこなうことができる。
【００３０】
また、本実施形態によれば、天井埋込型の室内機３に除湿機５を一体化した空調ユニット２を、吊ボルト１０２で天井裏に支持したため、天井裏のスペースを有効的に利用して、除湿機５を設置することができる。除湿機５は室内機３に一体化されているため、簡易に設置することができる。また、空調ユニット２は、天井に埋め込まれて配置されているため、美観の向上を図ることができる。
【００３１】
また、室内機３の上面に除湿機５を載置しているため、被調和室４の天井面に形成する室内機３を据え付けるための開口部を広げることなく、空調ユニット２を設置することができる。さらに、除湿機５の下面に配置した第一ドレンパン５４の上に除湿用熱交換器５１を配置しているため、室内機３の上面に除湿機５を載置しても、除湿用熱交換器５１から発生するドレン水が室内機３に直接垂れ落ちることがない。
【００３２】
また、第一ドレンパン５４のドレン配管は、室内機３のドレンパン２４に連通し、空調ユニット２からのドレン水は、ドレンパン２４を介して空調ユニット２の外部に排出されるため、空調ユニット２からドレン水が被調和室４内に垂れ落ちるのを防止することができる。また、除湿機５に、室内機３とは別にドレン水排水用の排水ポンプ等を取り付ける必要がなく、除湿機５から発生するドレン水を、室内機３から発生するドレン水と共に効率よく空調ユニット２の外部に排出することができる。
【００３３】
また、除湿機５は、略箱形状のケース５０の側面の一面に形成された吹出口５５と、残りの三面に形成された吸込口５６とを備え、吸込口５６に沿って平面略コ字状の除湿用熱交換器５１を配置し、吹出口５５に除湿用送風機５２を設けた。そのため、多方向から壁内空間８０の湿度の高い空気を吸い込んで除湿することができ、壁内空間８０の除湿効率を向上することができる。更に、吹出口５５は、吸込口５６とは異なる面に形成されているため、吹出口５５から吹き出される湿度の低い空気が吸込口５６に直接吸い込まれるのを防止することができ、壁内空間８０の除湿効率を向上することができる。
【００３４】
また、空調ユニット２は、室内熱交換器２１の冷媒入口側に配置された第一メカ弁２９と、除湿用熱交換器５１の冷媒入口側に配置された第二メカ弁５３とを備えるため、室内熱交換器２１を流れる冷媒量と、除湿用熱交換器５１を流れる冷媒量とをそれぞれ第一メカ弁２９、第二メカ弁５３の開度を変えることで調節することができ、空調ユニット２の負荷にあわせて効率よく壁内空間８０の除湿を行うことができ、省エネルギー効果を高めることもできる。
【００３５】
また、室内機３に、除湿機５を取り付けて一体的に空調ユニット化するとともに、室内機３と除湿機５を冷媒配管１０に並列に接続する接続ポート１２０を備えたため、除湿機５は、任意で後付けすることができるようになり、空気調和装置１００の汎用性が向上する。
【００３６】
また、除湿機５と、室内機３とは連結具で連結されているため、室内機３と除湿機５を互いに別体に形成し、空調ユニット２の組み立て作業性を向上することができるとともに、螺子で互いを連結することで、一体に配設することができ、取り付け作業性も向上する。
【００３７】
以上、実施形態に基づいて本発明を説明したが、本発明はこれに限定されるものではない。本実施形態では、第一メカ弁（第一制御弁）２９、及び第二メカ弁（第二制御弁）５３はメカニカルバルブから成る構成としたが、これに限らず、電磁弁から構成されていても良い。その他の細部構成等についても任意に変更可能であることは勿論である。
【符号の説明】
【００３８】
１  室外機
２  空調ユニット
２ｂ  ボルト（螺子）
３  室内機
４  被調和室
５  除湿機
１０  冷媒配管（第一冷媒配管）
１７ａ、１７ｂ  Ｔ継手
２０  筐体
２０ａ  側面パネル
２１  室内熱交換器
２２  送風機
２４  ドレンパン（第二ドレンパン）
２８  吊金具
２９  第一メカ弁（第一制御弁）
３１  吸込口（室内空気吸込口）
３２  吹出口
５０  壁内空間
５１  除湿用熱交換器
５２  送風機（除湿用送付機）
５３  第二メカ弁（第二制御弁）
５４  ドレンパン（第一ドレンパン）
５５  吹出口（壁内吹出口）
５６  吸込口（壁内空気吸込口）
５８  ドレンチューブ（ドレン配管）
６０  制御部
１００  空気調和システム
【図１】
2012032035.tif 000003
【図２】
2012032035.tif 000004
【図３】
2012032035.tif 000005
【図４】
2012032035.tif 000006
【図５】
2012032035.tif 000007
【図６】
2012032035.tif 000008
【図７】
2012032035.tif 000009